(57)【要約】【課題】製造コストを低減できるようにするとともに、必要な自立強度を得られ、簡単かつ安全に使用できるようにする。【解決手段】ペットの侵入を規制する起立状態のパネル２１を２枚有し、これらのパネル２１同士が枢着部３１を介して屏風のように開閉可能に連結されたペット用柵１１。パネル２１の枚数を抑えて製造コストを低減し、単に開くだけで簡単に使用できるようにする。また、屏風型に開く構造により、必要な自立強度を得られる。【選択図】図１
2010124704.tif 000002
【特許請求の範囲】
【請求項１】
ペットの侵入を規制する起立状態のパネルを備えたペット用柵であって、
前記パネルを２枚で構成するとともに、
これらのパネル同士が枢着部を介して開閉可能に連結された
ペット用柵。
【請求項２】
前記枢着部には、パネルの開き角度を固定する角度固定機構が設けられた
請求項１に記載のペット用柵。
【請求項３】
前記枢着部には、パネルの開き角度を１８０度未満の限界角度で止める過開き防止部が形成された
請求項１または請求項２に記載のペット用柵。
【請求項４】
前記２枚のパネルの幅寸法が相互に異なる
請求項１から請求項３のうちいずれか一項に記載のペット用柵。
【請求項５】
前記２枚のパネルの下端に、接地してパネルを支える脚部が備えられるとともに、
前記枢着部の下端に、前記脚部が接地したときに接地する接地部が形成された
請求項１から請求項４のうちのいずれか一項に記載のペット用柵。
【請求項６】
前記枢着部には、パネルの開き角度を１８０度未満の限界角度で止める過開き防止部が形成されるとともに、
前記脚部が、２枚のパネルを限界角度まで等角に開いたときに枢着部の後端を通る直線状の仮想基準線より内側に収まるものである
請求項５に記載のペット用柵。
【発明の詳細な説明】
【技術分野】
【０００１】
この発明は、たとえば室内で犬などのペットを飼う場合において、ペットが自由に移動するのを規制するときに使用するようなペット用柵に関する。より詳しくは、低廉で提供でき、使い方も簡単であるようなペット用柵に関するものである。
【背景技術】
【０００２】
ペット用柵としては、下記特許文献１に開示されているものが知られている。この柵は、正面パネルと正面パネルの両側に設けられた２枚の側面パネルを有した平面視コ字状をなし、自立可能に構成されている。
【０００３】
つまり、ペットの侵入を規制しようとする場所に柵を置くだけで所望の目的を達成できる。それまでの類似の装置が、柱間や壁間などに突っ張るようにして固定して使用するもであったのに対して、特許文献１の柵では、置くだけで使用できるので、大変便利に使用できる利点がある。
【０００４】
このように平面視コ字状をなすものの他に、２枚の側面パネルを取り除いたような衝立型状の柵も提案されている（下記特許文献２参照）。幅方向の両端の下端には、自立させるための脚部が備えられている。この柵の場合も、ひとまずのところは置くだけで使用できる。
【特許文献１】特開２００６−４２７９２号公報
【特許文献２】登録実用新案第３１２４６９９号公報
【発明の開示】
【発明が解決しようとする課題】
【０００５】
しかし、柵を安定状態で自立させることは容易ではない。
【０００６】
たとえ特許文献１に開示された柵のように平面視コ字状に形成されたものであっても、側面パネルが突出していない方向には倒れ易い。ペットの侵入を規制するのが目的であり、ペットが当たることがある点を考慮すれば、現実にはパネルを支える脚部が必要となる。特許文献１の柵においては、側面パネルの突出方向と反対側に延びる脚部が形成されている。
【０００７】
このため、正面パネルの両側は、側面パネルの長さと脚部の長さを加えた長さになり、奥行き寸法が大きくなってしまう。また、脚部が側面パネルの両側において突出しているので、使用時に人間が脚部に躓いてしまったり、脚部を蹴飛ばして柵を動かしてしまったりするおそれがある。
【０００８】
そして、そもそも特許文献１の柵では、少なくとも３枚のパネルが必要であるので部品点数が多くなり、コストがかかる。また、使用時には３枚のパネルを連結しなければならないため、使用するときや使用後の片付け作業は面倒である。
【０００９】
さらに、特許文献２に開示された柵は侵入を規制する場所を塞ぐように置いて使用されるが、脚部の位置や大きさ、形状は、使用に際して支障にならないように設定しなければならず、この点を考慮した上で安定した自立状態を得ることは、特許文献１に開示された柵の場合に比して難しい。仮に、柵の両面において同じように突出する脚部を形成したと仮定すると、脚部がつかえて柵の両側部分と侵入を規制する場所との間を使用時に塞げないことになるので、少なくとも片面側では脚部の突出が極力ないようにしなければならない。そして、柵の両面において脚部の突出量を違えた場合には、使用に際して柵の設置の向きやペットを居させる側などを考慮する必要が生じる。つまり、単に置けば使えるというものではない。
【００１０】
そこで、この発明は、低廉で提供でき、使い方も簡単で、必要な自立強度を得られるようにすることを主たる目的とする。
【課題を解決するための手段】
【００１１】
そのための手段は、ペットの侵入を規制する起立状態のパネルを備えたペット用柵であって、前記パネルを２枚で構成するとともに、これらのパネル同士が枢着部を介して開閉可能に連結されたペット用柵である。
【００１２】
使用にあたっては、パネルを開いて設置するだけでよい。２枚のパネルは枢着部によって相互に適宜の角度で開いて、屏風のように自立する。設置に際しては、設置場所の幅に応じてパネルの開き角度を適宜調整する。この設置状態において、２枚のパネルとこれらを連結する枢着部がペットの自由な移動を規制する。
【発明の効果】
【００１３】
以上のように、この発明によれば、パネルが２枚であるので、３枚以上のパネルを必要とする場合に比して、部品点数を低減できる。このため、コストを低減し、廉価で提供可能となる。
【００１４】
また、枢着部で連結された２枚のパネルを開くだけで使用できるので、使用の準備も後片付けも簡易迅速に行える。そのうえ、使用にあたって設置場所に応じた幅調整ができるので、たとえばパネルに伸縮機能をもたせずともよく、構造を簡素にしながらも機能性を高めることができる。
【００１５】
さらに、２枚のパネルを開けば屏風型になるので、パネルの配置形態によっても自立機能が得られる。つまり従来のように平面視コ字状や衝立型の場合に比して、パネル自体による自立が期待でき、必要な自立強度を得ることが可能なる。また、このことから、ペット用柵の向きにかかわらず自立強度を得ることもできるので、使用にあたっては、設置の向きなどに気を使わずともよく、使い方は至極簡単である。
【発明を実施するための最良の形態】
【００１６】
この発明を実施するための一形態を、以下図面を用いて説明する。  
図１は、ペットの侵入を規制するペット用柵１１を開いた状態の平面図、図２は開いたペット用柵１１を内側から見た状態の正面図、図３はペット用柵１１の分解図である。
【００１７】
これらの図に示したように、ペット用柵１１は、起立状態の２枚のパネル２１を有するとともに、これらのパネル２１同士が枢着部３１を介して開閉可能に連結された構成である。
【００１８】
パネル２１は、正面視よこなが長方形をなす木製の枠体２２と、この枠体２２内に固定される縦横の金属線からなる金網２３とを有する。パネル２１の高さは、起立した状態で人が跨いで通過できる高さ、例えば５００ｍｍ〜６００ｍｍ程度に設定される。パネル２１の幅は、住宅の間取り等に対応できるように、たとえば５５０ｍｍ〜８００ｍｍ程度など適宜設定される。パネル２１は、それ自体ある程度の重量を有するのが好ましく、使用する木の種類や枠体の厚さなどは適宜設定される。
【００１９】
また、パネル２１には、たとえば図４に示したように、ペットが出入りできる出入り口２４を備えることもできる。出入り口２４には、開閉自在で、閉状態を保持できる扉２５が備えられる。図中、２６はヒンジ部である。また、２７は上下動可能なロックピンで、対向部位に設けられた筒状の差込部２８に差し込まれ、扉２５の閉状態を保持する。
【００２０】
前記のようなパネル２１を連結する枢着部３１は、左右一対の上側回転保持部材３２，３３と、同じく左右一対の下側回転保持部材３４，３５と、これら上側回転保持部材３２，３３と下側回転保持部材３４，３５に挿通保持されてこれらを連結する軸部材３６と、軸部材３６と上側回転保持部材３２，３３の結合状態を保持するとともに、下側回転保持部材３４，３５との一体性を保持する締め付け部材３７とで構成される。
【００２１】
上側回転保持部材３２，３３と下側回転保持部材３４，３５は共に、相互に噛合するように上下に重合する回転部３２ａ，３３ａ，３４ａ，３５ａを有する。上側回転保持部材３２，３３はパネル上端の角に、下側回転保持部材３４，３５はパネル下端の角に、木ねじ等（図示せず）で固定される。
【００２２】
また、枢着部３１のうちの上側回転保持部材３２，３３には、パネル２１の開き角度を固定する角度固定機構３８が設けられ、上側回転保持部材３２，３３と下側回転保持部材３４，３５の双方には、パネル２１の開き角度を１８０度未満の限界角度で止める過開き防止部３２ｂ，３３ｂ，３４ｂ，３５ｂが形成されている。
【００２３】
角度固定機構３８は、左右一対の上側回転保持部材３２，３３における前記回転部３２ａ，３３ａ間に、環状のゴム板（図示せず）を保持し、前記の締め付け部材３７でゴム板を締め付けてその状態を保持する構成でもよいが、図５に示したように、菊座を用いた構成であると、開き角度を軽い力で確実に保持できるのでよい。
【００２４】
菊座を用いた角度固定機構３８は、下側に位置する回転部３２ａを有する上側回転保持部材３２の回転部３２ａの上面に形成された放射状に延びる凹凸からなる菊座３８ａと、上側に位置する回転部３３ａを有する上側回転保持部材３３の回転部３３ａの下面に形成されて菊座３８ａよりも少ない本数で放射状に延びる複数本の突条３８ｂと、前記軸部材３６の上端部に形成され、２個の上側回転保持部材３２，３３を貫くボルト部３６ａと、前記突条３８ｂを有した上側回転保持部材３３の上面から突出した前記ボルト部３６ａに螺合する前記締め付け部材３７とで構成される。図中、軸部材３６のボルト部３６ａより下側に形成された六角柱状の六角部３６ｂは、下側に位置する回転部３２ａを有した上側回転保持部材３２の回転部３２ａに下から挿入されたときに回り止めするための部分である。
【００２５】
すなわち、締め付け部材３７をボルト部３６ａに螺合して締め付けることにより、各上側回転保持部材３２，３３の上下に重なる回転部３２ａ，３３ａが締め付けられ、各回転保持部材３２，３３の突条３８ｂと菊座３８ａとが相互に圧接し、回転が規制される。つまり、２枚のパネル２１の開き角度を強固に固定できる。
【００２６】
前記過開き防止部３２ｂ，３３ｂ，３４ｂ，３５ｂは、各上側回転保持部材３２，３３と各下側回転保持部材３４，３５の回転部３２ａ，３３ａ，３４ａ，３５ａの背面側に外周側に突出するように形成された壁状の部分で構成される。すなわち、限界角度まで開くと、これらの過開き防止部３２ｂ，３３ｂ，３４ｂ，３５ｂのうち対向するもの同士が互いに当接して、それ以上のパネル２１の開きを防止する。このため、パネル２１が開きすぎて設置時の安定性を喪失することを回避できる。前記の限界角度は適宜設定されるが、例えば１３０度〜１５０度程度、より好ましくは１４０度であると、安定性と外観の点でよい。
【００２７】
このようにパネル２１と枢着部３１とを有するペット用柵１１には、設置時に床面等に接地する部分が形成されている。
【００２８】
すなわち、２枚のパネル２１の下端に、接地してパネル２１を支える脚部４１が備えられるとともに、下側に位置する回転部３４ａを有する下側回転保持部材３４の下端には、前記脚部が接地したときに接地する接地部３９が形成されている（図３参照）。なお、図３において２個の脚部４１を図示しているが、一方（図面左側）の脚部４１は側面を、他方（図面右側）の脚部４１は正面をあらわしている。
【００２９】
脚部４１は、平面視短冊状をなす基本的に偏平な板状で、中間部が隆起している。この隆起部４２にパネル２１の枠体２２に下から嵌める嵌合溝４３を有している。枠体２２に対しては、嵌合溝４３を有する部分の下からねじ（図示せず）を螺合して固定する。ねじが螺合するナット部（図示せず）は枠体２２の所定位置に埋め込まれている。また、脚部４１の嵌合溝４２は脚部４１の長さ方向の一方側に寄っており、パネル２１に対して固定したときに、開き方向の外側に長く突出するように固定する（図１参照）。
【００３０】
そして、脚部４１は、２枚のパネル２１を限界角度まで等角に開いたときに枢着部３１の後端を通る直線状の仮想基準線Ｌよりも内側に収まるとともに（図１参照）、図６に示したように２枚のパネル２１を閉じて合わせるようにした時に、互いに干渉しないように、その大きさ、形状、取り付け位置が設定されている。
【００３１】
具体的には、２枚のパネル２１に取り付ける脚部４１は、同一の形状で、上面に滑らかな曲面を有する。この上面の高さは、パネル２１の下端面の下の狭い空間に入り込む高さである。そして、前記嵌合溝４３を形成すべく上に立ち上がる前記の隆起部４２の厚さは、図６に示したようにパネル２１を閉じることを許容する厚さである。
【００３２】
また、脚部４１の取り付け位置は、一方のパネル２１に対する脚部４１の取り付け位置と、他方のパネル２１に対する脚部４１の取り付け位置とが、枢着部３１からの位置において合致しないように、いずれか一方の脚部４１の取り付け位置を、開閉動作を考慮して、少なくとも脚部４１の幅寸法ぶん一方側に寄せる。
【００３３】
なお、２枚のパネル２１を限界角度まで開いたときに、２個の脚部４１における開き方向の外側の端部と前記の接地部３９が前記の仮想基準線Ｌに近い位置で略直線上に並ぶように、脚部４１の長さなどを設定するとよい。
【００３４】
前記接地部３９は、下側に位置する回転部３４ａを有する下側回転保持部３４の回転部３４ａの下端に一体に形成され、例えば筒状などの適宜形状に形成される。
【００３５】
これら脚部４１や接地部３９の下面には、ゴムなど、すべり止めや緩衝等の機能を果たす部材が適宜備えられる。
【００３６】
図７は、他の例に係るペット用柵１１の平面図であり、この図に示すように、２枚のパネル２１の幅寸法を相互に異ならせるもよい。
【００３７】
以上のように構成されたペット用柵１１は、次のように使用される。  
まず、ペット用柵１１を、ペットの侵入を規制しようとする場所に持ってゆき、枢着部３１の締め付け部材３７を緩めた上で、２枚のパネル２１を開く。開く角度は、図８に示したように、設置場所の開口部Ｓの幅に合わせて適宜設定する。そして、枢着部３１の締め付け部３７を締めて、パネル２１の開き角度を固定してから、開口部Ｓを塞ぐように置く。ペット用柵１１の内側をペットの居る側にするも、ペット用柵１１の外側をペットの居る側にするも、自由であり、使い方は簡単である。このようにして設置をすると、ペット用柵１１の自重と、２枚のパネル２１がなす屏風状の形態と、脚部４１および接地部３９の存在とによって、ペット用柵１１はしっかりと自立する。そして、２枚のパネル２１とこれらを連結する枢着部３１がペットの自由な行き来を防ぐ。
【００３８】
このとき、脚部４１は、開き方向の外側に突出しているが、脚部４１の形態が偏平な板状で、上面が緩やかな曲面を描いており、その突出位置が、２枚のパネルを限界角度まで等角に開いたときに枢着部３１の後端を通る仮想基準線Ｌより内側に収まるので、外観上、枢着部３１が突出している印象を与える。この結果、ペット用柵１１を跨いで通ったり、ペット用柵１１の枢着部３１側の前を通過したりする場合には、ペット用柵１１に当たらないように警戒心を起こさせることができる。このため、不測に足を引っ掛けて躓いたり、ペット用柵１１を蹴飛ばして動かしてしまったりすることを抑制できる。
【００３９】
さらに、使用にあたっては前記のように、枢着部３１で連結された２枚のパネル２１を開くだけで使用できるので、使用の準備はもちろん後片付けも簡易迅速に行える。そのうえ、使用にあたって設置場所に応じた幅調整ができるので、たとえばパネル２１に伸縮機能をもたせずともよく、構造を簡素にしながらも機能性を高めることができる。
【００４０】
設置の仕方の例を示すと、たとえば、図９に示したように、通路状の開口部Ｓでペットの侵入を規制しようとする場合、一個のペット用柵１１で、幅の異なる通路状の開口部Ｓを塞ぐことができる。図示例では、横にまっすぐに設置した状態を示したが、斜めに設置すれば、より狭い開口部Ｓでも塞ぐことができ、さらには前記のように２枚のパネル２１を閉じた状態で設置しても開口部Ｓを塞ぐことができる。
【００４１】
図１０は、たとえばキッチンカウンターと壁との間の開口部Ｓのように、開口部Ｓを構成する面の方向が異なる場合の使用例を示している。このような場合でも、開口部Ｓの幅に応じて開口部を適宜閉塞できる。
【００４２】
図１１は、一方のパネル２１を他方のパネル２１よりも長く形成したペット用柵１１の使用例を示し、この場合には、図１０に示した開口部Ｓの幅が広い場合のように斜めに設置しなくても、長い方のパネル２１をまっすぐにした状態で開口部Ｓを塞ぐことができる。
【００４３】
これらのように開口部Ｓを適宜閉塞できるので、従来の平面視コ字状をなす柵の場合には、たとえば図１０、図１１に示したような開口部Ｓを塞ごうとするとき、側面に位置する一方の側面パネルが無駄になることがあり、また、従来の衝立型をなす柵の場合には開口部Ｓを直線で塞ぐために開口部Ｓ付近でペットが戯れられるような遊びがない状態であったのに対して、そのような開口部Ｓであっても、より簡素に、しかも実用上も外観上も良好に塞ぐことができる。
【００４４】
ペット用柵１１を使用しないときには、２枚のパネル２１を閉じて適宜の場所に片付ける。前記のように、パネル２１を支える脚部４１のほかに、脚部４１が接地するときに接地する接地部３９が枢着部３１の下側回転保持部３４にも備えられているので、ペット用柵１１は、図６に示したように閉じた状態でも自立する。このため、壁等に立てかけずとも自立するので、非使用時の取り扱いも容易である。
【００４５】
このペット用柵１１では、２枚のパネル２１を枢着部３１で連結する構成であるので、部品点数を低減でき、コストを低減できる上に、前記のように使用が簡単で、屏風型の形態と脚部４１等による自立強度も得られ、使用状の安全も確保できるなどの特異な効果を達成できる。
【００４６】
以上の構成はこの発明を実施するための一形態であり、この発明は、前記の構成のみに限定されるものではなく、その他の形態を採用することができる。  
たとえば、パネルは伸縮可能であるもよい。１個のペット用柵で適用できる開口部の種類が一段と広がる。
【図面の簡単な説明】
【００４７】
【図１】ペット用柵の開閉状態を示す平面図。
【図２】ペット用柵の内側から見た正面図。
【図３】ペット用柵の分解状態の正面図。
【図４】パネルの他の例を示す正面図。
【図５】枢着部の要部を示す分解斜視図。
【図６】ペット用柵を閉じた状態の平面図。
【図７】他の例に係るペット用柵を閉じた状態の平面図。
【図８】使用状態の説明図。
【図９】使用状態の説明図。
【図１０】使用状態の説明図。
【図１１】使用状態の説明図。
【符号の説明】
【００４８】
１１…ペット用柵
２１…パネル
３１…枢着部
３２ｂ，３３ｂ，３４ｂ，３５ｂ…過開き防止部
３８…角度固定機構
３９…接地部
４１…脚部
Ｌ…仮想基準線
【図１】
2010124704.tif 000003
【図２】
2010124704.tif 000004
【図３】
2010124704.tif 000005
【図４】
2010124704.tif 000006
【図５】
2010124704.tif 000007
【図６】
2010124704.tif 000008
【図７】
2010124704.tif 000009
【図８】
2010124704.tif 000010
【図９】
2010124704.tif 000011
【図１０】
2010124704.tif 000012
【図１１】
2010124704.tif 000013